(57)【要約】【課題】効率的でかつ低コストで、複数のＩＣタグに同一のデータを記録する方法を提供すること。【解決手段】ＩＣタグａ１１，ａ１２，‥，ａ２１，ａ２２，‥を複数個連接して構成されるＩＣタグ連接体Ａを使用して、この複数のＩＣタグのうち互いに隣接する２以上のＩＣタグａ１２，ａ２２のＩＣチップに、同時に、同一のデータを書き込み、記録する。同一データが記録されたＩＣタグは隣接して連接されているから、袋などの副資材を要することなく一纏めとすることができる。【選択図】図３
2014203286.tif 000002
【特許請求の範囲】
【請求項１】
アンテナとＩＣチップとを備えたＩＣタグを複数個連接して構成されるＩＣタグ連接体を使用して、この複数のＩＣタグのうち互いに隣接する２以上のＩＣタグのＩＣチップに、同時に、同一のデータを書き込むことを特徴とするデータ記録方法。
【請求項２】
前記ＩＣタグ連接体が長尺の連接体であり、その長手方向に直交する方向に複数のＩＣタグが配列されていることを特徴とする請求項１に記載のデータ記録方法。
【請求項３】
前記ＩＣタグ連接体が長尺の連接体であり、その長手方向に沿って複数のＩＣタグが配列されていることを特徴とする請求項１に記載のデータ記録方法。
【請求項４】
アンテナとＩＣチップとを備えたＩＣタグを複数個連接して構成されるＩＣタグ連接体を使用して、この複数のＩＣタグのうち互いに隣接する２以上のＩＣタグのＩＣチップにデータを書き込むデータ記録装置において、
２以上の前記ＩＣチップのそれぞれにデータを書き込む２以上の記録手段と、２以上のこれら記録手段に対して、同時に、同一のデータを送信する制御装置とを備えることを特徴とするデータ記録装置。
【請求項５】
アンテナとＩＣチップとを備えたＩＣタグを複数個連接して構成されるＩＣタグ連接体を使用して、この複数のＩＣタグのうち互いに隣接する２以上のＩＣタグのＩＣチップにデータを書き込むデータ記録装置において、
２以上の前記ＩＣチップのそれぞれにデータを書き込む単一の記録手段と、前記記録手段に対してデータを送信する制御装置とを備えることを特徴とするデータ記録装置。
【発明の詳細な説明】
【技術分野】
【０００１】
本発明は、アンテナとＩＣチップとを備えたＩＣタグを複数個連接して構成されるＩＣタグ連接体を使用して、そのそれぞれのＩＣチップにデータを書き込むデータ記録方法とデータ記録装置に関するものである。
【背景技術】
【０００２】
アンテナとＩＣチップとを内蔵したＩＣタグは、その内部に大量のデータを記録できることから、各種製品の管理や配送物の管理に広く使用されている。
【０００３】
このＩＣタグは、例えば、図１に示すような構造を有している。図１（ａ）はＩＣタグａの平面図、図１（ｂ）はその断面図である。
【０００４】
すなわち、ＩＣタグａは、その内部にＩＣインレット１を内蔵しており、このＩＣインレット１は、絶縁性の基材１１の表面にアンテナ１２を設けると共にＩＣチップ１３を配置して、これらアンテナ１２とＩＣチップ１３とを電気的に接続して構成されている。そして、外部リーダーライターの送信アンテナから送信されたデータをアンテナ１２で受信し、こうして受信したデータをＩＣチップ１３に書き込んで記録するのである。
【０００５】
なお、図示したように、ＩＣタグａはＩＣインレット１を上下から樹脂シート２で挟んでＩＣインレット１を保護している。図中、２１は、製品等に取り付けるために設けられた孔である。また、ＩＣタグａには、製品名やバーコード等の印刷画像３を施して使用することが通常である。
【０００６】
ところで、このＩＣタグにデータを記録する際には、例えば特許文献１にあるように、長尺の剥離基材上に多数のＩＣタグを配列したＩＣタグ連接体を使用して記録する。ＩＣタグは、１列に限らず、多数列に配列されていることもある。そして、このＩＣタグ連接体をその長手方向に沿って間欠的に移動させながら、ＩＣタグにデータを記録するのである。ＩＣタグごとに一つずつ記録することもあるし、複数のＩＣタグを一組として、この一組のＩＣタグに含まれる複数のＩＣチップに同時に記録することもある。特許文献１は、複数のＩＣタグをまとめて一組として、この一組のＩＣタグの複数のＩＣチップに同時に記録する技術を開示している。
【０００７】
ＩＣタグごとに一つずつ記録する場合はもちろん、複数のＩＣチップに同時に記録する場合においても、それぞれのＩＣタグには、互いに異なるデータが記録されるのが通常である。しかしながら、複数のＩＣタグを１セットとして発行する必要が生じることがある。例えば、ＩＣタグを取り付ける管理対象物が大型で、読み取る場所が特定されていない場合である。この場合には、読み取る場所が特定されていないため、ゲートタイプの読み取り機器を設置することができず、ハンディ型の小型読み取り機を作業員が持ち歩いて、そのタイミングを計って読み取るという運用が必要となる。この場合、ＩＣタグの読み取りを一方向から行うという運用を採用すると、ＩＣタグは管理対象物の特定の位置に特定の方向に向けて付けられていなければならない。ところが、管理対象物が対称形の場合、その向き（方向）を規定することが困難である。この場合、ＩＣタグを左右２箇所に付けたり、それ以上のＩＣタグを付けることが必要になるのである。そして、このような場合には、これら複数のＩＣタグに同一のデータを記録する必要がある。
【０００８】
このような場合には、ＩＣタグにデータを記録した後、ＩＣタグ連接体からＩＣタグを取り外し、同一のデータが記録された複数のＩＣタグを人手でまとめる必要があった。す
なわち、多数のＩＣタグの中から、同一データが記録された複数のＩＣタグを選び、これらを手作業で袋等に収容して一纏めとするという作業が必要であった。
【０００９】
この作業は人手に頼っているため、非効率的であるだけでなく、そのコストも高くならざるを得なかった。また、選択された複数のＩＣタグをまとめる袋などの副資材を必要とすることも、コストを増加させる要因となっていた。例えば、２個のＩＣタグを一組とする場合、この２個のＩＣタグごとに１つの副資材を必要とするのである。
【先行技術文献】
【特許文献】
【００１０】
【特許文献１】特開２００５−１９００８４号公報
【発明の概要】
【発明が解決しようとする課題】
【００１１】
そこで、本発明は、効率的でかつ低コストで、複数のＩＣタグに同一のデータを記録する方法を提供することを目的とする。
【課題を解決するための手段】
【００１２】
すなわち、請求項１に記載の発明は、アンテナとＩＣチップとを備えたＩＣタグを複数個連接して構成されるＩＣタグ連接体を使用して、この複数のＩＣタグのうち互いに隣接する２以上のＩＣタグのＩＣチップに、同時に、同一のデータを書き込むことを特徴とするデータ記録方法である。
【００１３】
この発明においては、互いに隣接する２以上のＩＣタグに同時に同一のデータを記録するから、こうして同一データが記録されたＩＣタグは他のＩＣタグと容易に区別できる。また、同一データが記録されたＩＣタグは隣接して連接されているから、袋などの副資材を要することなく一纏めとすることができる。
【００１４】
このようにＩＣタグにデータを記録した後、同一データを記録した複数のＩＣタグを選んだり、一纏めにする必要がないから、その生産効率を高めることができ、また、生産コストを低下させることが可能となる。
【００１５】
次に、請求項２に記載の発明は、前記ＩＣタグ連接体が長尺の連接体であり、その長手方向に直交する方向に複数のＩＣタグが配列されていることを特徴とする請求項１に記載のデータ記録方法である。
【００１６】
また、請求項３に記載の発明は、前記ＩＣタグ連接体が長尺の連接体であり、その長手方向に沿って複数のＩＣタグが配列されていることを特徴とする請求項１に記載のデータ記録方法である。
次に、請求項４に記載の発明は、請求項１に記載のデータ記録方法に利用される記録装置に関するものである。すなわち、請求項４に記載の発明は、アンテナとＩＣチップとを備えたＩＣタグを複数個連接して構成されるＩＣタグ連接体を使用して、この複数のＩＣタグのうち互いに隣接する２以上のＩＣタグのＩＣチップにデータを書き込むデータ記録装置において、
２以上の前記ＩＣチップのそれぞれにデータを書き込む２以上の記録手段と、２以上のこれら記録手段に対して、同時に、同一のデータを送信する制御装置とを備えることを特徴とするデータ記録装置である。
また、請求項５に記載の発明は、請求項１に記載のデータ記録方法に利用される別の記録装置に関するものでアンテナとＩＣチップとを備えたＩＣタグを複数個連接して構成されるＩＣタグ連接体を使用して、この複数のＩＣタグのうち互いに隣接する２以上のＩＣタ
グのＩＣチップにデータを書き込むデータ記録装置において、
２以上の前記ＩＣチップのそれぞれにデータを書き込む単一の記録手段と、前記記録手段に対してデータを送信する制御装置とを備えることを特徴とするデータ記録装置である。
【発明の効果】
【００１７】
以上のように、本発明によれば、効率的かつ低コストで、複数のＩＣタグに同一のデータを記録することが可能となる。
【図面の簡単な説明】
【００１８】
【図１】図１（ａ）はＩＣタグの平面図。図１（ｂ）はその断面図。
【図２】ＩＣタグ連接体の第１の例を示す説明用平面図。
【図３】データ記録装置の第１の例を示す説明図。
【図４】データ記録装置の第２の例を示す説明図。
【図５】ＩＣタグ連接体の第２の例を示す説明用平面図。
【図６】データ記録装置の第２の例を使用して、ＩＣタグ連接体の第２の例に記録する場合を示す説明図。
【発明を実施するための形態】
【００１９】
本発明に係るデータ記録方法は、ＩＣタグを複数個連接して構成されるＩＣタグ連接体を使用して、この複数のＩＣタグにデータを記録するものである。
【００２０】
ＩＣタグａは、従来のＩＣタグと同一でよい。すなわち、図１に示すように、アンテナ１２とＩＣチップ１３とを備えたインレット１を、上下から樹脂シート２で挟んで構成されたものである。そして、このＩＣタグａを複数個連接してＩＣタグ連接体とすることができる。図２は、ＩＣタグ連接体の第１の例を示すもので、ＩＣタグはＩＣタグ連接体Ａ１の長手方向に多数連接されている。また、この長手方向に直交する方向に、２個のＩＣタグａが連接されている。すなわち、このＩＣタグ連接体Ａ１は、ＩＣタグａが２列になって、その長手方向に多数配列されているものである。なお、図２においては、それぞれのＩＣタグａに枝番を付けて、ａ１１，ａ１２，ａ１３，‥、ａ２１，ａ２２，ａ２３，‥と表示している。
【００２１】
そして、隣接するＩＣタグａ同士は、破断容易なブリッジで連結されている。例えば、長手方向に隣接するＩＣタグａ１１とＩＣタグ１２とは、ブリッジｃ１１で連結されている。また、長手方向に直交する方向に隣接するＩＣタグａ１１とＩＣタグ２１とは、ブリッジｂ１で連結されている。
【００２２】
これらブリッジｃ１１，ｃ１２，ｃ１３，‥、及び、ｂ１，ｂ２，ｂ３，‥は、ＩＣタグを構成する樹脂シート２の一部で構成することが可能である。すなわち、多数のインレット１を配列しながら樹脂シート２で挟んで一体化した後、ＩＣタグａ１１，ａ１２，ａ１３，‥、ａ２１，ａ２２，ａ２３，‥を構成する部分と、ブリッジｃ１１，ｃ１２，ｃ１３，‥、及び、ｂ１，ｂ２，ｂ３，‥を構成する部分とを残して、樹脂シート２を打ち抜くことにより、ＩＣタグ連接体Ａ１を製造することができる。なお、樹脂シート２としては、例えば、ポリ塩化ビニル樹脂のシートが使用できる。
【００２３】
次に、このＩＣタグ連接体Ａ１に含まれる多数のＩＣタグのうち、互いに隣接する２以上のＩＣタグａのＩＣチップ１３に、同時に、同一のデータを書き込む。この書き込みに使用するデータ記録装置は、図３に示すように、それぞれのＩＣチップ１３にデータを書き込む記録手段Ｂ１と、この記録手段に対してデータを送信する制御装置Ｃとを有している。一般に、データは記憶装置Ｄに記憶されており、制御装置Ｃはこの記憶装置Ｄから必
要なデータを読み出して記録手段Ｂ１，Ｂ１に送信するものである。
【００２４】
図３に示すデータ記録装置は、２以上の前記ＩＣチップ１３のそれぞれに１：１に対応して、それぞれの前記ＩＣチップ１３にデータを書き込む２以上の記録手段Ｂ１，Ｂ１を有している。記録手段Ｂ１，Ｂ１としては、前記ＩＣチップ１３に近接して配置された送信アンテナを使用することができる。なお、このように前記ＩＣチップ１３のそれぞれに１：１に対応する記録手段Ｂ１，Ｂ１を使用して記録する場合には、これら２以上の記録手段Ｂ１，Ｂ１に対して、同時に、しかも、同一のデータを送信する必要がある。そして、制御装置Ｃから同時に同一のデータを受信した記録手段Ｂ１，Ｂ１は、受信したデータを２以上の前記ＩＣチップ１３に同時に書き込んで記録させる。
【００２５】
次に、図４に示すデータ記録装置は、単一の記録手段Ｂ２を使用して２以上の前記ＩＣチップ１３のそれぞれにデータを記録させるものである。単一の記録手段Ｂ２としては前記ＩＣチップ１３の全部に近接して配置された送信アンテナを使用することができる。送信アンテナは２以上のＩＣチップ１３の全部に近接して配置する必要があることから、大面積の送信アンテナを使用することが望ましい。このように大面積のアンテナを使用する場合、この送信アンテナを２以上の前記ＩＣチップ１３の全部に対面させることが可能となる。そして、制御装置Ｃからデータを受信した記録手段Ｂ２は、受信したデータを２以上の前記ＩＣチップ１３に同時に書き込んで記録させる。
【００２６】
以上のように、図３のデータ記録装置を使用する場合にも、あるいは、図４のデータ記録装置を使用する場合にも、隣接する２以上のＩＣタグａのＩＣチップ１３に同一のデータが記録される。このため、同一のデータが記録されたこれらＩＣタグａを一体として、その周囲のＩＣタグａから切り離すことにより、改めて袋などの副資材を使用することなくまとめることができる。例えば図２に示すＩＣタグ連接体において、長手方向に直交する方向に隣接するＩＣタグａ１２とａ２２の両者に同一のデータを記録した場合には、その間のブリッジｂ２を破断することなく、ブリッジｃ１１，ｃ１２，ｃ２１，ｃ２２を破断して長手方向に隣接するＩＣタグａ１１，ａ１３，ａ２１，ａ２３から切り離すことにより、ＩＣタグａ１２とａ２２の両者を一組のＩＣタグとしてまとめることができる。
【００２７】
次に、図５はＩＣタグ連接体の第２の例を示すもので、ＩＣタグａ１，ａ２，ａ３，‥派ＩＣタグ連接体Ａ２の長手方向に一列に多数連接されている。また、図６は、このＩＣタグ連接体Ａ２にデータを記録するデータ記録装置の例である。このデータ記録装置は、長手方向に隣接する２以上のＩＣタグａに単一の記録手段Ｂ２を対応させている。この場合にも、単一の記録手段Ｂ２として大面積の送信アンテナを使用し、この大面積の送信アンテナを２以上の前記ＩＣチップ１３の全部に対面させて、これら２以上のＩＣチップ１３の全部に同時に、同一のデータを書き込んで記録することができる。そして、同一のデータを記録した２以上のＩＣタグａを一体として、その周囲のＩＣタグａから切り離すことにより、改めて袋などの副資材を使用することなくまとめることが可能である。例えば、隣接するＩＣタグａ２とａ３の両者に同一のデータを記録した場合には、その間のブリッジｃ２を破断することなく、前後のブリッジｃ１，ｃ３を破断して長手方向に隣接するＩＣタグａ１，ａ４から切り離すことにより、ＩＣタグａ２とａ３の両者を一組のＩＣタグとしてまとめることができる。
【００２８】
なお、ＩＣチップ１３にデータを記録する前、あるいは記録した後に、このデータに対応する印刷画像３を印刷することも可能である。
【符号の説明】
【００２９】
Ａ１，Ａ２：ＩＣタグ連接体  Ｂ１，Ｂ２：記録手段  Ｃ：制御装置  Ｄ：記憶装置
ａ：ＩＣタグ  ｂ，ｃ：ブリッジ
１：ＩＣインレット  １１：絶縁性基材  １２：アンテナ  １３：ＩＣチップ  ２：樹脂シート  ２１：製品取付孔  ３：印刷画像
【図１】
2014203286.tif 000003
【図２】
2014203286.tif 000004
【図３】
2014203286.tif 000005
【図４】
2014203286.tif 000006
【図５】
2014203286.tif 000007
【図６】
2014203286.tif 000008